(57)【要約】【課題】従来のカード用印刷装置に着脱自在に装着したスタッカーでは、カード状の被印刷物のサイズに応じて、印刷部に対する被印刷物の位置を規制する手段が設けられているが、この手段の位置合わせを行う作業が面倒である等の問題があった。【解決手段】被印刷物Ｃの搬送方向に沿ったスタッカー５の両内側に、印刷部に対して中央基準で被印刷物の位置を規制する一対の規制手段５３ａ、５３ｂを設けると共に、この一対の規制手段を被印刷物のサイズに応じて連動して平行移動させる平行移動機構６を設ける。【選択図】  図６
2004307120.tif 000002
【特許請求の範囲】
【請求項１】
カード状の被印刷物に所定の印刷を行う印刷部と、この印刷部に対し被印刷物を搬送する搬送手段とを備え、この印刷部の上流側に、前記被印刷物の複数枚を上下に重ねて収納できるスタッカーを設けると共に、このスタッカーから一枚ずつ被印刷物を取出して印刷部に搬送する給紙手段を設けた印刷装置において、
前記被印刷物の搬送方向に沿ったスタッカーの両内側に、印刷部に対して中央基準で被印刷物の位置を規制する一対の規制手段を設けると共に、この一対の規制手段を被印刷物のサイズに応じて連動して平行移動させる平行移動機構を設けたことを特徴とする印刷装置。
【請求項２】
前記一対の規制手段は、前記被印刷物の搬送方向に直交する方向両側からスタッカーに上下に重ねて収納した前記被印刷物を押圧して整列させる一対の規制板であることを特徴とする請求項１記載の印刷装置。
【請求項３】
前記平行移動機構は１個の操作部を有し、この操作部の操作で前記一対の規制手段が連動して平行移動することを特徴とする請求項１または請求項２記載の印刷装置。
【請求項４】
前記平行移動機構は、前記操作部を操作しない場合に前記一対の規制手段の移動を制限する移動制限手段を有することを特徴とする請求項３記載の印刷装置。
【請求項５】
前記平行移動機構を、被印刷物の搬送方向前側及び搬送方向後側の少なくとも一方に設けたことを特徴とする請求項１乃至請求項４のいずれか１項に記載の印刷装置。
【請求項６】
前記平行移動機構をスタッカーの壁面に設けたことを特徴とする請求項５に記載の印刷装置。
【請求項７】
前記給紙手段は、前記カード状の被印刷物を保持する保持部を有する搬送トレイであり、この搬送トレイは、スタッカーに収納した被印刷物のうち最下層のものと一致した場合に、保持部に一枚の被印刷物がセットされるセット位置と、印刷部の下流側に所定の印刷が行われたものを排出する排出位置との間で搬送手段によって移動自在であることを特徴とする請求項１乃至請求項６のいずれか１項に記載の印刷装置。
【発明の詳細な説明】
【０００１】
【発明の属する技術分野】
本発明は、カード状被印刷物に所定の印刷を行う印刷装置に関する。
【０００２】
【従来の技術】
近年では、会員証やクレジットカードなどの発行のため所定寸法のプラスチックカードなどのガード状の被印刷物（以下、「カード」という）に所定の文字やイラストを印刷することが増えている。この場合、印刷装置は、例えば所定の印刷を行う印字ヘッドを備え、この印字ヘッドには、対向してプラテンローラが設けられ、印字ヘッドとプラテンローラとが印刷部を構成する。印刷部の上流側と下流側には、一方が駆動され、他方がカードを押圧することで連れ回りする上下一対のローラから構成された第１及び第２の各搬送手段がそれぞれ設けられている。第１の搬送手段の上流側にはカードを上下に重ねて収納できるストッカーが着脱自在に設けられ、最下部のカードが接するように給紙手段である供給ローラが配設されている。
【０００３】
ところで、カードのサイズには、例えばＩＤカードのサイズと名刺サイズとが異なるように用途に応じて種々のものがある。この場合、種類やサイズの異なるカードに対応してストッカーをそれぞれ準備して使い分けるのでは、印刷準備が面倒になる等の問題が生じる。このため、ストッカーの内部に、カードのサイズに合わせてカードの位置を規制する内壁部材を設けることが知られている（特許文献１）。
【０００４】
【特許文献１】
特開平１１−２２７９５３号公報（例えば、請求項２０の記載）
【０００５】
【発明が解決しようとする課題】
上記のものでは、内壁部材の一端を直角に屈曲させ、この屈曲させた屈曲部に横方向の長孔を上下方向で２箇所設け、この長孔を介してねじでスタッカー本体に取付けている。カードのサイズに合わせて内壁部材の位置を調節する場合、一旦ねじを緩めて内壁部材の移動させて位置合わせをし、この位置で再度ねじを締めるため、その調整作業が面倒である。この場合、印刷部に対して中央基準で被印刷部の位置を合わせるようにすると、さらにその調整作業が面倒になる。また、ねじを締付ける際に内部壁材が傾く場合があり、内部壁材が傾いていると、印刷装置の振動等でスタッカーに重ねて収納したガードがずれる場合があり、ずれた状態で給紙手段を介して印刷部に供給されると、印刷不良を生じる。
【０００６】
そこで、本発明は、不定形のカード状の被印刷物のサイズに関係なく、印刷部に対して中央基準で被印刷物の位置を簡単に合わせることができ、その上、内部に重ねて収納した被印刷部の位置ずれが防止できるスタッカーを有する印刷装置を提供することを目的とするものである。
【０００７】
【課題を解決するための手段】
上記課題を解決するため、本発明の印刷装置は、カード状の被印刷物に所定の印刷を行う印刷部と、この印刷部に対し被印刷物を搬送する搬送手段とを備え、この印刷部の上流側に、前記被印刷物の複数枚を上下に重ねて収納できるスタッカーを設けると共に、このスタッカーから一枚ずつ被印刷物を取出して印刷部に搬送する給紙手段を設けた印刷装置において、前記被印刷物の搬送方向に沿ったスタッカーの両内側に、印刷部に対して中央基準で被印刷物の位置を規制する一対の規制手段を設けると共に、この一対の規制手段を被印刷物のサイズに応じて連動して平行移動させる平行移動機構を設けたことを特徴とする。
【０００８】
本発明によれば、不定形のカード状の被印刷物のいずれかに印刷する場合、印刷する被印刷物のサイズに合わせて、スタッカーに設けた一対の規制手段の位置を平行移動機構を介して調整する。この場合、一対の規制手段は連動して平行移動されるため、簡単に不定形のカード状の被印刷物のサイズに合わせることができる。この状態で、規制手段の内側に上下に重ねてカード状の被印刷物を収納し、給紙手段によってスタッカーから一枚ずつ被印刷物を取出して印刷部に搬送し、所定の印刷が行われる。
【０００９】
前記一対の規制手段は、例えば前記被印刷物の搬送方向に直交する方向両側からスタッカーに上下に重ねて収納した被印刷物を押圧して整列させる一対の規制板とすればよい。
【００１０】
また、前記平行移動機構は１個の操作部を有し、この操作部の操作で前記一対の規制手段が連動して平行移動するようにすれば、被印刷物のサイズに合わせて一対の規制手段の位置を調整する作業がさらに容易になる。
【００１１】
この場合、前記平行移動機構は、前記操作部を操作しない場合に前記一対の規制手段の移動を制限する移動制限手段を有するようにすれば、内部に重ねて収納した被印刷部の位置ずれが防止できる。
【００１２】
尚、前記平行移動機構を、被印刷物の搬送方向前側及び搬送方向後側の少なくとも一方に設けるのがよい。
【００１３】
この場合、前記平行移動機構をスタッカーの壁面に設けておけば、平行移動機構をストッカーと共に着脱自在にできてよい。
【００１４】
また、前記給紙手段は、前記カード状の被印刷物を保持する保持部を有する搬送トレイであり、この搬送トレイは、スタッカーに収納した被印刷物のうち最下層のものと一致した場合に、保持部に一枚の被印刷物がセットされるセット位置と、印刷部の下流側に所定の印刷が行われたものを排出する排出位置との間で搬送手段によって移動自在とすればよい。
【００１５】
【発明の実施の形態】
図１及び図２を参照して、１は、例えば、プラスティックプレートやテープなどの被印刷物に所定の文字やイラストを印刷できる印刷装置である。印刷装置１には、装置の作動を制御する制御部（図示せず）が設けられている。該制御部には、フォントや文字間隔などの印刷データを入力するパソコン２が通信ケーブル３を介して接続されている。印刷装置１の中央部には、上下動自在なサーマル転写式の印字ヘッド１１が設けられている。該印字ヘッド１１の下方には、対向してプラテンローラ１２が設けられ、該印字ヘッド１１とプラテンローラ１２とが印刷部を形成する。印刷部１１、１２の上流側と下流側とには、被印刷物を一定の送り速度で送る第１及び第２の搬送手段１３、１４が設けられている。
【００１６】
第１及び第２の各搬送手段１３、１４は、駆動ローラ１３ａ、１４ａと被印刷物を押圧することで駆動ローラ１３ａ、１４ａと連れ回りするアイドルローラ１３ｂ、１４ｂとから構成されている。各駆動ローラ１３ａ、１４ａはギアトレイン１５を介して駆動モータＭにより駆動される。この場合、ギアトレイン１５を介してプラテンローラ１２が同期して駆動されるようにしてもよい。また、上流側の第１搬送手段１３（図中右側）のアイドルローラ１３ｂは、被印刷物表面に付着したほこりなどの粒子を除去できる粘着力を有する粘着ローラとして形成してもよい。
【００１７】
第１の搬送手段１３の上流側には、ロール状に巻回された帯状の被印刷物の収納を可能とする凹状の収納部１６が設けられている。該収納部１６の内周面には、駆動ローラ１６ａとアイドルローラ１６ｂとが所定の間隔を置いて配設され、一定の送り速度で帯状の印刷物を送り出すことができる。この場合、ギアトレイン１５を介して駆動ローラ１６ａが同期して駆動されるようにしてもよい。
【００１８】
ところで、被印刷物が、会員証やクレジットカードなどの所定寸法のカード状の被印刷物である場合、その長さ寸法が短いので、駆動ローラ１３ａが駆動されている状態で、印字ヘッド１１に対して左右方向の位置ずれを生じることなく、または搬送方向に対して傾くことなく第１搬送手段１３にカードを手差しするのは困難な場合が多い。図２及び図３に示すように、本実施の形態では、カードＣに所定の印刷を行う場合、駆動ローラ１３ａ、１４ａの正逆転により印刷部１１、１２の上流側と下流側との間で往復動する搬送トレイ４を使用することとした。そして、カードＣがセットされる第１搬送手段１３の上流側のセット位置Ｓと、印刷されたカードＣを排出する第２搬送手段１４の下流側の排出位置Ｅとの間で移動する搬送トレイ４の保持部４１にカードＣをセットして一定の送り速度で印刷部１１、１２に送り、所定の印刷を行う。
【００１９】
この場合、第１の搬送手段１３に通じる搬送路に設けたガイド部材１７を搬送トレイ４の幅にあわせて位置決めして搬送トレイ４を設置すれば、駆動ローラ１３ａ、１４ａの正逆転により往復運を繰り返しても搬送トレイ４は位置ずれを生じない。このため、カードＣを印刷ヘッド１１に対して平行に搬送トレイ４にセットするだけで、印字ずれなどの印刷不良を防止できる。図３、図４及び図５に示すように、搬送トレイ４は合成樹脂製の薄板で構成され、その厚さ寸法はカードＣの厚さ寸法より短く設定している。
【００２０】
また、搬送トレイ４の所定の位置には、カードＣの外形より大きな略長方形の開口部４１ａが形成されている。開口部４１ａのうちカードＣの搬送方向後側の内縁部には、薄板４１ｂが、例えば粘着テープ状の支持部材４２を介して下方に揺動自在に枢着され、開口部４１ａと薄板４１ｂとがカードＣの保持部４１を構成する。この場合、開口部４１ａに薄板４１ｂを組付けると開口部４１ａと薄板４１ｂとを跨ぐ凹部が形成されるように搬送トレイ４と薄板４１ｂとの裏面が加工され、搬送トレイ４の裏面から突出しないように該凹部に支持部材４２が収納されている。
【００２１】
薄板４１ｂは、セット位置Ｓから排出位置Ｅまで移動する間水平に保持され、第２搬送手段１４を通過して印刷装置１外部の排出位置Ｅに到達すると下方に揺動する。この場合、排出位置Ｅでは、薄板４１ｂが下方に揺動することで該薄板４１ｂ上のカードＣがその自重で滑り落ちる。従って、排出位置ＥでのカードＣの自動排出が可能になる。また、薄板４１ｂの厚さ寸法Ｔ１は、搬送トレイの厚さ寸法Ｔ２より短く設定し、該薄板４１ｂ上にカードＣが収納できる空間が形成されるようにした。開口部４１ａの横幅Ｗは、印刷され得るカードＣの最大横幅にほぼ対応させている。これにより、保持部４１にカードＣをセットするだけでカードＣの左右方向の位置ずれが防止される。また、セット位置Ｓには、略直方体のスタッカー５を装着している。
【００２２】
図６を参照して、スタッカー５の開口した内部には、カードＣを上下に重ねて収納でき、ロール状に巻回された帯状の被印刷物を収納する収納部１６に着脱自在に装着できる。スタッカー５の長手方向に沿った両壁の下側には、一対の略Ｌ字形の嵌込み部５１ａ、５１ｂが設けられている。そして、該嵌込み部５１ａ、５１ｂを凹状の収容部１６に嵌込むことでスタッカー５の位置決めが可能になると共に、搬送トレイ４の通過を可能とする間隙５２ａ、５２ｂが形成される。この場合、カードＣの搬送方向前方の間隙５２ａの高さは、スタッカー５に収容したカードＣが１枚以上出ないような高さに形成されている。
【００２３】
搬送トレイ４の長さ寸法は次のように設定されている。即ち、保持部４１がセット位置Ｓと排出位置Ｅとの間で移動する間、第１及び第２の各搬送手段１３、１４の少なくとも一方で搬送トレイ４が挟持され、かつ、保持部４１が排出位置に到達したとき搬送トレイ４の一部がスタッカー５下側に存在するように設定されている。これにより、スタッカー５に収納された最下層のカードＣは常時搬送トレイ４と当接し、第１及び第２の搬送手段１３、１４により搬送トレイ４を移動させて保持部４１とスタッカー５に収納したカードＣのうち最下層のものとを一致させるとカードが保持部４１に自動的にセットされる。
【００２４】
保持部４１にセットされたカードＣへの印刷やセット位置Ｓと排出位置Ｅとの間での搬送トレイ４の移動は、例えば上述の帯状被印刷物の先端部を検出するため印刷装置１内部の所定の位置に設けたポジションセンサー１８を使用し、該ポジションセンサー１８の検出結果に応じて制御する。また、カードＣの位置検出のため、薄板４１ｂの枢着部側の端部には開口４１ｃを開設すると共に、薄板４１ｂの水平状態で該薄板４１ｂと開口部４１ａの内縁部との間の空間４１ｄにカードＣの端部が突出するように保持部４１にカードＣを載置している（図５参照）。
【００２５】
ところで、カードＣのサイズには、例えばＩＤカードのサイズと名刺サイズとが異なるように用途に応じて種々のものがある。この場合、種類やサイズの異なるカードＣに応じてスタッカー５をそれぞれ準備して使い分けるのでは、印刷準備が面倒になる等の不具合が生じる。図６乃至図９に示すように、本実施の形態では、カードＣの移動方向に沿ったスタッカー５の両壁部の内側に、印刷部１１、１２に対して中央基準でカードＣの位置を規制する一対の規制板５３ａ、５３ｂを設けた。そして、この一対の規制板５３ａ、５３ｂを、被印刷物の搬送方向に直交する方向両側からスタッカー５内に上下に重ねたカードＣを押圧して整列させるように連動して平行移動させる平行移動機構６を設けた。
【００２６】
各規制板５３ａ、５３ｂの搬送方向後側の上部には、突起片５４ａ、５４ｂがそれぞれ設けられ、この突起片５４ａ、５４ｂは、スタッカー５の後壁５ａに設けた水平方向の長孔５５ａ、５５ｂを貫通して外側に突出している。また、各規制板５３ａ、５３ｂの搬送方向前側には支持板５７ａ、５７ｂが連結され、スタッカー５の前壁５ｂの両端に設けた開口５６ａ、５６ｂを貫通している。各支持板５７ａ、５７ｂを、前壁５ｂの外側でそれぞれスタッカー５の内方に向かって直角に屈曲し、この屈曲した部分が平行移動機構６に連結されている。
【００２７】
平行移動機構６は、スタッカ−５の前壁５ｂの略中央部に水平方向で所定の間隔を置いて設けた第１、第２及び第３の各ピン６１ａ、６１ｂ、６１ｃと、操作レバー６２とから構成される。そして、各支持板５６ａ、５６ｂの屈曲した部分に、相互に一致する形状を有する水平方向の長孔５８ａ、５８ｂをそれぞれ形成し、第１、第２及び第３の各ピン６１ａ、６１ｂ、６１ｃに、一方の支持板５７ｂの長孔５８ｂを嵌合させた後、他方の支持板５７ａの長孔５８ａを嵌合させることで、各支持板５７ａ、５７ｂが取付られている。この場合、各支持板５７ａ、５７ｂは、搬送方向に所定の間隔を存している（図８参照）。
【００２８】
また、各支持板５７ａ、５７ｂの屈曲させた部分には、第１ピン６１ａの上下方向に位置するように、支持ピン５９ａ、５９ｂがそれぞれ設けられ、この支持ピン５９ａ、５９ｂと第１ピン６９ｃとに、一方の支持板５７ａから所定の間隔を存して操作レバー６２が嵌着されている。操作レバー６２は、スタッカー５の一側に水平に延びる操作部６２ａを有し、第１ピン６１ａを回転中心として図７に矢印示す方向Ｙに回転自在となる。操作部６２ａが水平の位置にある場合（図７に示す位置）、一対の規制板５３ａ、５３ｂ相互の間隔が、中間サイズのカードＣを印刷部１１、１２に対して中央基準で合わせるようになっている。
【００２９】
一方で、操作レバー６２の操作部６２ａを鉛直方向上側に移動させると、支持ピン５９ａ、５９ｂによって各支持板５７ａ、５７ｂが外側に向かって移動し、これに伴って一対の規制板が相反する方向に同ピッチで連動して平行移動する。他方で、操作レバー６２の操作部６２ａを鉛直方向下側に移動させると、支持ピン５９ａ、５９ｂによって各支持板５７ａ、５７ｂが内方に向かって移動し、これに伴って一対の規制板５３ａ、５３ｂが向かい合う方向に同ピッチで連動して平行移動する。この場合、開口５６ａ、５６ｂの水平方向の長さだけ各規制板５３ａ、５３ｂを移動されることができる。また、各支持板５７ａ、５７ｂ相互の間に、各支持板５７ａ、５７ｂの水平移動にとって抵抗となる緩衝材Ｋが介設されている。この緩衝材Ｋは、搬送トレイ４による搬送で発生する振動等によって各支持板５７ａ、５７ｂを介して各規制板５３ａ、５３ｂが拡がるのを防止する移動制限手段の役割を果たす。
【００３０】
これにより、操作レバー６２の操作で一対の規制板５３ａ、５３ｂを図８に矢印で示す方区Ｘに平行移動させて、一対の規制板５３ａ、５３ｂ相互の間隔をカードＣのサイズに簡単に合わせることができると共に、カードＣのサイズに合わせるために一対の規制板５３ａ、５３ｂを移動させても各規制板５３ａ、５３ｂが傾くことはない。また、平行移動機構６を搬送方向前側に位置するスタッカー５の外壁５ｂに設けることでカードＣの搬送方向前側が規制されるので、印刷部１１、１２に対してカードＣが位置ずれを起こすことがなく、正確に搬送トレイ４に設置されて印刷不良を生じることはない。その上、平行移動機構６を設けてもスタッカー５は着脱自在であり、搬送トレイ４の幅の影響も受けない。
【００３１】
尚、本実施の形態では、各支持板５７ａ、５７ｂ相互の間に緩衝材Ｋを設けたが、操作レバー６２を、例えばその自重で下方に付勢されるようにし、カードＣを押圧する方向に各規制板５３ａ、５３ｂが作用するようにすることで移動制限手段を構成してもよい。また、各支持板５７ａ、５７ｂの移動を制限するロック機構を別途設けてもよい。
【００３２】
次に本発明の印刷装置によってカードＣに所定の印刷を行う場合について説明する。印刷装置１に搬送トレイ４を設置した後、セット位置Ｓにスタッカー５を装着する。この場合、操作レバー６２の操作部６２ａを操作してカードＣのサイズに合わせて一対の規制板５３ａ、５３ｂを平行移動させ、カードＣのサイズに合わせた状態でスタッカー５内に所定枚数のカードＣを上下に重ねて収納する。カードＣを挿入するとき、カードＣの搬送方向後側の縁部をスタッカー５の後壁に当接させて収納する。また、スタッカー５に収納された最下層のカードＣは搬送トレイ４の保持部４１以外の部分と当接させておく。
【００３３】
そして、第１及び第２の各搬送手段１３、１４の駆動ローラ１３ａ、１４ａを正転または逆転させて、スタッカー５に収納された最下層のカードＣと保持部４１とが一致する搬入位置Ｅに到達するまで搬送トレイ４を移動させる（図３（ａ）参照）。保持部４１がセット位置Ｓに到達して最下層のガードＣがセットされると、搬送手段１３の駆動ローラ１３ａを正転させ搬送トレイ４を下流側に移動させ、一定の送り速度で印刷部１１、１２に送る。印刷部１１、１２では、パソコン２で設定されたデータに基づいて所定の印刷が行われる。
【００３４】
さらに駆動ローラ１３ａ、１４ａを正転させ下流側に搬送トレイ４を移動させると、保持部４１が第２搬送手段１４を通過し、薄板４１ｂが下方に揺動して、印刷が行われたカードＣがその自重で薄板４１ｂから滑り落ちる印刷装置１外部の搬出位置Ｅに搬送トレイ４が到達する（図３（ｂ）参照）。この場合、排出位置Ｅに下方に箱状のスタッカー（図示せず）を設置しておけば、落下したカードＣを上下に重ねて整列した状態で収納できる。尚、スタッカー５内で最下層の位置に移動したカードＣは搬送トレイ４の保持部４１ｂ以外の部分で支持される。
【００３５】
次に、スタッカー５に収納した別のカードＣに印刷を行うため、駆動ローラ１３ａ、１４ａを逆転させると、薄板４１ｂが再び上方に揺動して水平に戻る。そして、保持部４１が第２搬送手段１４及び印刷部１１、１２を経て再びセット位置Ｓに到達するまで搬送トレイ４を上流側に移動する。そして、保持部４１とスタッカー５に収納された最下層のカードＣとが一致して、該保持部４１に再び１枚のカードがセットされる。
【００３６】
尚、一対の規制板５３ａ、５３ｂを平行移動させる平行移動機構６は上記のものに限定されるものではない。例えば、図１０及び図１１に示すように、一対の規制板５３ａ、５３ｂを支持する支持板７１ａ、７１ｂの屈曲させた部分を上下方向で分けると共に、スタッカー５の前壁５ｂに、各支持板７１ａ、７１ｂに対応して支持ピン７２ａ、７２ｂをそれぞれ２箇所設け、各支持ピン７２ａ、７２ｂに、各支持板７１ａ、７１ｂの屈曲した部分に設けた水平方向の長孔７３ｂを嵌合させるようにしてもよい。そして、各支持板７１ａ、７１ｂの間にギア７４を設けると共に、このギア７４と噛合うラック７５ａ、７５ｂを、各支持板７１ａ、７１ｂの相互に向かい合う面にそれぞれ形成し、上側の支持板７１ａの一端に設けた操作部７６を水平方向に移動させると、各支持板７１ａ、７１ｂを介して各規制板５３ａ、５３ｂが、向かい合う方向または相反する方向に同ピッチで連動して移動する。
【００３７】
また、本実施の形態では、平行移動機構６を搬送方向前側のスタッカー５の外壁５ｂに設けたが、これに限定されるものではなく、カードＣの搬送方向後側のスタッカー５の外壁に、またはカードＣの搬送方向前後側にそれぞれに設けてもよく、スタッカー６を別体とすることもできる。
【００３８】
また、本発明は上記実施の形態に限定されるものではなく、発明の骨子を逸脱しない限り、様々な形態をとり得る。例えば、搬送手段１３、１４を、印字ヘッド１１の上流側または下流側のいずれか一方に設けた構成でもよく、また、搬送手段１３、１４は搬送ローラに限定されるものではなく、ラックピ二オンや搬送ベルト等でもよい。また、スタッカー５は凹状の収納部１６に嵌込む形状としたが、収納部１６がなければ他の部材に係合する公知の係合部材を設けてもよい。さらに、例えば、搬送トレイ４を使わず一般的なカードプリンタのローラ搬送分離方式、押し出しプレート分搬送分離方式のプリンタに、本実施の形態のスタッカーを適用することで不定形サイズのカードに印刷することができる。
【００３９】
【発明の効果】
以上説明したように、本発明の印刷装置に設けたスタッカーでは、不定形のカード状の被印刷物のサイズに関係なく、印刷部に対して中央基準で被印刷物の位置を簡単に合わせることができ、その上、内部に重ねて収納した被印刷部の位置ずれが防止できるという効果を奏する。
【図面の簡単な説明】
【図１】本発明の印刷装置の構成を説明する図
【図２】印刷装置の断面図
【図３】往復動する搬送トレイの移動を説明する図。（ａ）はセット位置。（ｂ）は排出位置。
【図４】搬送トレイの断面図
【図５】搬送トレイの上面図
【図６】第１の実施の形態にかかるスタッカーの斜視図
【図７】スタッカ−実施例１上面図
【図８】スタッカ−実施例１側面図
【図９】図６に示すスタッカ−の断面図図
【図１０】他の変形例にかかるスタッカ−の斜視図
【図１１】図１１に示すスタッカ−の正面図
【符号の説明】
１    印刷装置
１１  印字ヘッド
１２  プラテンローラ
１３、１４  搬送手段
４  搬送トレイ
４１  保持部
５  スタッカー
５３  規制板
６  平行移動機構
Ｃ  カード状の被印刷物
【図１】
2004307120.tif 000003
【図２】
2004307120.tif 000004
【図３】
2004307120.tif 000005
【図４】
2004307120.tif 000006
【図５】
2004307120.tif 000007
【図６】
2004307120.tif 000008
【図７】
2004307120.tif 000009
【図８】
2004307120.tif 000010
【図９】
2004307120.tif 000011
【図１０】
2004307120.tif 000012
【図１１】
2004307120.tif 000013